(57)【要約】【課題】  廻り縁、巾木、入り隅化粧縁、出隅化粧縁等のコーナー化粧部材をコーナーに取り付ける時、タッカーの針や釘、木ネジ等で留め付けると留め付け金具の山が表面から見え、見栄えが悪い。  【解決手段】  本発明は、コーナー化粧部材を合成樹脂の押し出しで成形する際、上記コーナー化粧部材の内部に留め付けに使用する金具を隠蔽する為の空洞（複数でも良い）を設けて成形する。成形時か成形後に表面から空洞に向け、押し出し方向へ全長にわたりスリットを入れ、留め付け器具の先端の出し入れ口とする。  その為、本コーナー化粧部材の表面層は、留め付け器具の先端の出し入れが出来る軟らかさに、また、スリットで出来た蓋は、留め付け後、器具の先端を抜いた時に元の形状へ戻る弾力性のある樹脂で成形する。  表面にはスリットが目立たない様、化粧溝をデザイン的に複数入れ、スリットは化粧溝の筋に沿って入れる。【選択図】  図１
2010112025.tif 000002
【特許請求の範囲】
【請求項１】
壁と床、壁と天井、壁と壁、壁と柱、壁と開口部の枠、等の境界又はその近傍に配置される、コーナー化粧部材に於いて、
押し出し方向に全長にわたる、内部に留め付け金具を隠蔽する為の空洞と、表面から空洞に向かい、留め付けに使用する器具の先端を出し入れするスリットを設けた事を特徴とするコーナー化粧部材。
【請求項２】
前記空洞の断面形状は、円形、楕円形、台形、平行四辺形、多角形またはその複合、変形等から選択され、設けられたことを特徴とする請求項１に記載のコーナー化粧部材。
【請求項３】
前記スリットは、表面から前記空洞の一端、中央、またその中間の位置に向け設けられたことを特徴とする請求項１に記載のコーナー化粧部材。
【請求項４】
前記空洞、スリットを複数列設けて成形したことを特徴とする請求項１に記載のコーナー化粧部材。
【発明の詳細な説明】
【技術分野】
【０００１】
本発明は、合成樹脂製の押し出し成形による、コーナー化粧部材に関するものである。
【背景技術】
【０００２】
従来、廻り縁、巾木、入り隅化粧縁、出隅化粧縁等のコーナー化粧部材は、壁や天井や
床や柱や開口部の枠等に留め付けるには、粘、接着剤で貼り付けるか、連続して留め付け
針等を打ち込む器具であるタッカーの針や釘、ネジ等で留め付けられているが、表面に留め付ける金具を出さない為様々な工夫をしている。
【特許文献１】特開２００３−７４１７９号公報
【特許文献２】特開平１１−２２１７１号公報
【特許文献３】特開２００２−３６４１６５公報
【発明の開示】
【発明が解決しようとする課題】
【０００３】
コーナー化粧部材を壁や天井や床や柱や開口部の枠等に留め付ける時、連続して留め付
け針等を打ち込む器具であるタッカーの針や釘、ネジで留め付けると表面から留め付け金
具が見える。目隠しとして別途成形されたカバー類を取り付け、金具を隠蔽する方法では
形状が複雑で、コーナー化粧部材も留め付けもコストが高い欠点があった。
本発明は、以上の様な欠点をなくす為になされた物である。
【課題を解決するための手段】
【０００４】
本発明は、合成樹脂の押し出しで成形する際、上記押し出し製品の内部に、留め付け金
具を隠蔽する為の空洞（複数でも良い）を設けて成形する。成形時か成形後に表面から空洞に向け、押し出し方向へ全長にわたるスリットを入れ、留め付け器具の先端の出し入れ口とする。
【０００５】
その為、本コーナー化粧部材の表面層は、スリットから留め付け器具の先端の出し入れ
が出来る軟らかさで、留め付け後、元の形状に戻る弾力性のある樹脂で成形する。
必要に応じ、留め付け側を硬めに、表層の蓋近辺は、軟らかめに積層押し出し成形をする。
【０００６】
表面にはスリットが目立たない様、化粧溝をデザイン的に複数入れ、スリットは化粧溝
の筋に沿って入れる。
【０００７】
請求項２に於いて、前期コーナー化粧部材の空洞は、留め付け器具の先端の形状、スリ
ットに差し込む角度、スリットで出来た蓋の厚さ、硬さ等の条件により様々な形状が考えられ、留め付け金具で最も留め付け易く、金具を隠蔽し易い最適な断面形状を選択する。
【０００８】
請求項３に於いて、前期コーナー化粧部材のスリットは、留め付け器具の先端の形状、
スリットに差し込む角度、スリットで出来た蓋の厚さ、硬さ等の条件により様々な位置が
考えられ、留め付け器具で最も留め付け易く、金具を隠蔽し易い、表面から空洞に向け最
適な位置を選択する。    
【０００９】
請求項４に於いて、前期コーナー化粧部材の空洞、スリットを複数列設けて成形し、留め付ければ留め付けの強度が増す。
【発明の効果】
【００１０】
本発明は、上述の様に成形されたコーナー化粧部材なので、低コストで簡単に強固に綺
麗に留め付けられる。留め付けに使用した金具は、空洞の中に隠蔽されるので表面からは
見えない。
【発明を実施するための最良の形態】
【００１１】
本発明のコーナー化粧部材を取り付ける為の最良の形態を説明する。
各図のコーナー化粧部材である本廻り縁、巾木、入り隅化粧縁、出隅化粧縁１a〜e等を
留め付けたい長さに切り、位置決めをする。その後、各図のタッカー等の留め付け器具の
先端６a〜eをスリット２a〜eから空洞３a〜e内に差し込み、針７a〜eで壁８a〜eや床９ｃや天井１０a〜ｂに留め付ける。タッカーの先端６a〜eをスリット２a〜eから抜けばスリットで出来た蓋４a〜eは、その弾性によって元の形状に戻り、留め付け金具７a〜eは空洞３a〜e内に留まり表面から見えない。
【００１２】
本発明のコーナー化粧部材の入り隅コーナー側の隅の断面１１a〜ｄは９０度とせず、壁紙等のコーナーにアールが付いていたり、壁紙等の継ぎ目の端が飛び出ていても本コーナー化粧部材１ａ〜ｅを留め付ける際、両サイドの壁等に密着できる様、入り隅コーナー側の隅の断面１１ａ〜dは面取りした形状としてある。
【００１３】
スリット２ａ〜ｅは、そのままでも良いが、スリット面に両面粘着テープの１面を貼り、他の面に離型紙を貼り、本コーナー化粧部材１a〜ｅを留め付け後、その離型紙を剥がし粘着面を圧着すればスリット２a〜ｅをふさぐことも出来る。
【００１４】
本発明のコーナー化粧部材１ａ〜ｅの表面には、スリット２ａ〜ｅが目立たない様、化粧溝５ａ〜ｅをデザイン的に複数入れ、スリット２ａ〜ｅは化粧溝５ａ〜ｅの筋に沿って入れる。
【００１５】
図１、図２は、第１実施例を示し、図１はコーナー化粧部材の一つである本発明の廻り
縁１aに於いて、空洞３aは変形扇型とし、スリット２aは空洞３aの端に設けた例で、廻り縁１a  をタッカーの針７aで壁８aに留め付けた状態を示す断面図である。  
図２は、スリット２aから空洞３a内にタッカーの先端６aを差し込み、針７aで壁８aに留め付けている状態を示す断面図である。タッカーの先端６aを抜けば、蓋４aはその弾
性によって元の形状に戻り、図１の通りタッカーの針７aは空洞３a内に残り表面からは見
えない。
【００１６】
図３、図４は、第２実施例を示し、図３は本発明の他の例を示す断面図であって、コー
ナー化粧部材の一つである廻り縁１ｂに於いて、空洞３ｂを変形扇型とし、スリット２ｂは空洞３ｂの中央に設けた例で、廻り縁１ｂをタッカーの針７ｂで壁８ｂに留め付けた状態を示す断面図である。
図４は、スリット２ｂから空洞３ｂ内にタッカーの先端６ｂを差し込み、針７ｂで壁
８ｂに留め付けている状態を示す断面図である。タッカーの先端６ｂを抜けば、蓋４ｂはその弾性によって元の形状に戻り、図３の通りタッカーの針７ｂは空洞３ｂ内に残り表面からは見えない。  
【００１７】
図５、図６は、第３の実施例を示し、図５は本発明のコーナー化粧部材の一つである巾
木１ｃに於いて、空洞３ｃを台形とし、長さ方向に２列成形し、スリット２ｃは空洞３ｃ
の端に設けた例で、巾木１ｃをタッカーの針７ｃで壁８ｃに留め付けた状態を示す断面図
である。
図６は、スリット２ｃから空洞３ｃ内にタッカーの先端６ｃを差し込み、針７ｃで壁
８ｃに留め付けている状態を示す断面図である。タッカーの先端６ｃを抜けば、蓋４ｃはその弾性によって元の形状に戻り、図５の通りタッカーの針７ｃは空洞内に残り表面からは見えない。
下段の空洞にも上段同様留め付け、留め付け強度を高めることが期待出来る。
【００１８】
図７，図８は、第４の実施例を示し、図７は本発明のコーナー化粧部材の一つである入
り隅化粧縁１ｄに於いて、空洞３ｄを三角形とし、スリット２ｄは空洞の端に設けた例で、壁紙のコーナーの継ぎ目を隠し、押さえる為、入り隅化粧縁１ｄを、タッカーの針
７ｄで壁８ｄに留め付けた状態を示す断面図である。
図８は、スリット２ｄから空洞３ｄ内にタッカーの先端６ｄを差し込み、針７ｄで壁８ｄに留め付けている状態を示す断面図である。タッカーの先端６ｄを抜けば、蓋４ｄはその弾性によって元の形状に戻り、図７の通りタッカーの針７ｄは空洞３ｄ内に残り表面からは見えない。
【００１９】
通常、壁紙のコーナーの継ぎ目は、シーリング剤を塗布し、目隠しと押えに使用しているが、本発明のコーナー化粧部材である入り隅化粧縁は、その代替として使用出来、より低コストで簡単に綺麗に壁紙のコーナーの継ぎ目を隠し、押さえることが出来る。
【００２０】
本入り隅化粧縁は、壁と壁のコーナーの継ぎ目を隠し、押さえる用途に限らず、壁と柱、壁と開口部の枠等との入り隅コーナーにも留め付けることが出来る。
【００２１】
図９、図１０は、第５の実施例を示し、図９は本発明のコーナー化粧部材の一つである
出隅化粧縁に於いて、空洞３eを台形とし、両サイドに成形し、スリット２eは空洞３eの
端に設けた例で、出隅化粧縁１eをタッカーの針７eで壁８eに留付けた状態を示す断面図
である。
図９は、スリット２ｅから空洞３ｅ内にタッカーの先端６eを差し込み、針７eで壁８e
に留め付けている状態を示す断面図である。タッカーの先端６eを抜けば、蓋４eはその弾
性によって元の形状に戻り、図９の通りタッカーの針７eは空洞３e内に残り表面からは見えない。
出隅化粧縁のもう一方の側も同様に留め付ける。
【００２２】
以上の本発明の説明では、その全てに於いて留め付けには、タッカーを使用している状態を示したが、タッカー以外に釘打ち機によって釘で留め付けても、ドライバーによって木ネジで留め付けても良い。どの場合も留め付け金具を打ち込む際、蓋を避けて留め付ければ留め付け金具は空洞内に隠蔽される。
【００２３】
本コーナー化粧部材の素材は、合成樹脂以外の弾性を有する素材で成形しても同一の効果を得ることが出来る。
【図面の簡単な説明】
【００２４】
【図１】第１実施例を示し、本発明の廻り縁（スリットの位置が端）をタッカーで壁に留め付けた状態の断面図である。
【図２】第１実施例を示し、本発明の廻り縁（スリットの位置が端）のスリットから空洞にタッカーの先端を入れ、針で壁に留め付けている状態の断面図である。
【図３】第２実施例を示し、本発明の廻り縁（スリットの位置が中央）をタッカーで壁に留め付けた状態の断面図である。
【図４】第２実施例を示し、本発明の廻り縁（スリットの位置が中央）のスリットから空洞にタッカーの先端を入れ、針で壁に留め付けている状態の断面図である。
【図５】第３実施例を示し、本発明の巾木をタッカーで壁に留め付けた状態の断面図である。
【図６】第３実施例を示し、本発明の巾木の上部スリットから空洞にタッカーの先端を入れ、壁に留め付けている状態の断面図である。
【図７】第４実施例を示し、本発明の入り隅化粧縁をタッカーで壁に留め付けた状態の断面図である。
【図８】第４実施例を示し、本発明の入り隅化粧縁のスリットから空洞にタッカーの先端を入れ、針で壁に留め付けている状態の断面図である。
【図９】第５実施例を示し、本発明の出隅化粧縁をタッカーで壁に留め付けた状態の断面図である。
【図１０】第５実施例を示し、本発明の出隅化粧縁のスリットからタッカーの先端を入れ、針で壁に留め付けている状態の断面図である。
【符号の説明】
【００２５】
１a、１b、１c、１d、１e  本発明のコーナー化粧部材
２a、２b、２c、２d、２e  スリット
３a、３b、３c、３d、３e  空洞
４a、４b、４c、４d、４e  蓋                                
５a、５b、５c、５d、５e  化粧溝
６a、６b、６c、６d、６e  タッカー先端
７a、７b、７c、７d、７e  タッカーの針
８a、８b、８c、８d、８e  壁
９c  床
１０a、１０b  天井
１１a、１１ｂ、１１ｃ、１１ｄ  面取り
【図１】
2010112025.tif 000003
【図２】
2010112025.tif 000004
【図３】
2010112025.tif 000005
【図４】
2010112025.tif 000006
【図５】
2010112025.tif 000007
【図６】
2010112025.tif 000008
【図７】
2010112025.tif 000009
【図８】
2010112025.tif 000010
【図９】
2010112025.tif 000011
【図１０】
2010112025.tif 000012